(57)【要約】【課題】ドップラー・ゲートは、スペクトル・ドップラー超音波イメージングに自動的に配置される（３８）。【解決手段】複数のＰＷドップラー・ゲートのために得られる（２８）サンプルは、ＰＷドップラーのための送信をインタリーブすることなく、経時的なＢモードおよび／またはＦモード検出（３０、４６）のために用いられる。Ｂモードおよび／またはＦモード情報を用いて、ゲート配置を追跡する（３８）。代替的にまたは追加的に、異なるゲート位置からの特性スペクトルを用いて、ゲート位置を選択する（４０）。いずれかの追跡（３２）を用いて、サンプリングされた位置および／またはビーム特性を変化させ（４０）、例えば、位置およびビーム焦点を選択されたゲート位置に集中させる。【選択図】図１
2014018663.tif 000002
【特許請求の範囲】
【請求項１】
ドップラー・ゲートをスペクトル・ドップラー超音波イメージングに配置する方法において、前記方法は、
トランスデューサアレイから、複数の送信ビームをそれぞれ送信するステップ（２６）と、
前記送信するステップ（２６）に応答して、異なる受信位置から複数の信号をそれぞれ受信するステップ（２８）と、
異なる時間に前記異なる受信位置を表すＢモード情報を、前記複数の信号の少なくともいくつかから生成するステップ（３０）と、
前記Ｂモード情報を用いて、ドップラー・ゲート位置を追跡するステップ（３２）と、
前記ドップラー・ゲート位置のための第１のスペクトルを、前記追跡されたドップラー・ゲート位置のための前記信号から推定するステップ（４２）と、
前記第１のスペクトルの関数であるイメージを表示するステップ（４４）と、
を含む方法。
【請求項２】
前記追跡するステップ（３２）は、第１の時間の第１の位置から第２の時間の第２の位置までの前記ドップラー・ゲート位置の変化を検出するステップ（３６）を含み、
前記推定するステップ（４２）は、前記第２の位置のための前記信号から推定するステップを含み、
前記方法は、前記第１の位置のための前記信号から、前記ドップラー・ゲート位置のための第２のスペクトルを推定するステップ（４２）をさらに含み、
前記表示するステップ（４４）は、前記異なる時間からの前記ドップラー・ゲート位置を表す、前記第１および第２のスペクトルの関数として前記イメージを表示するステップ（４４）を含む、
請求項１に記載の方法。
【請求項３】
前記送信するステップ（２６）は、
前記トランスデューサアレイの異なる開口から、横方向に間隔を置かれた走査線まで、前記複数のビームを同時に送信するステップ（２６）と、
個別の遅延パターンを前記異なる開口に適用するステップと、
を含む、
請求項１に記載の方法。
【請求項４】
前記受信するステップ（２８）は、前記複数の送信ビームの各々に応答して複数の受信ビームを形成するステップと、
前記受信ビームに対応する追加の受信位置に対する前記信号を、前記異なる受信位置および前記追加の受信位置に対する前記信号が実質的に同時に取得されるように、それぞれ取得するステップと、
を含む、
請求項１に記載の方法。
【請求項５】
前記推定するステップ（４２）は、前記ドップラー・ゲート位置を表す前記信号にフーリエ変換を適用するステップを含み、
前記第１のスペクトルは、周波数の関数としてのエネルギーを具える、
請求項１に記載の方法。
【請求項６】
前記Ｂモード情報を生成するステップ（３０）は、前記異なる時間の各々に対する前記異なる受信位置に対して、前記信号の単一のサンプルから強度を検出するステップ（３６）を含み、
前記推定するステップは、前記追跡されたドップラー・ゲート位置のための前記信号の複数から推定するステップを含み、
前記複数は、前記単一のサンプルの１つを含む、
請求項１に記載の方法。
【請求項７】
前記追跡するステップ（３２）は、前記異なる時間の前記Ｂモード情報の間の最も大きな類似点を有する移動を決定するステップを含み、
前記ドップラー・ゲート位置に対応する前記追跡されたドップラー・ゲート位置は、前記移動によってシフトされる、
請求項１に記載の方法。
【請求項８】
前記表示するステップ（４４）は、経時的に追跡されるように、異なる位置の前記ドップラー・ゲートのためにある前記スペクトルを有するスペクトル・ストリップを表示するステップ（４４）を含む、
請求項１に記載の方法。
【請求項９】
前記経時的に送信するステップ（２６）の送信焦点を前記追跡されたドップラー位置に調整するステップ（４０）をさらに含む、
請求項１に記載の方法。
【請求項１０】
前記ビームの横方向のおよび縦方向の位置を前記追跡されたドップラー・ゲート位置に調整するステップ（４０）をさらに含む、
請求項１に記載の方法。
【請求項１１】
前記信号からＦモード情報を推定するステップ（３４）と、
前記Ｆモード情報に基づき、前記追跡するステップ（３２）を微調整するステップ（３６）と、
をさらに含む、
請求項１に記載の方法。
【請求項１２】
ドップラー・ゲートをスペクトル・ドップラー超音波イメージングに配置するために、プログラムされたプロセッサ（２１）によって実行可能な命令を表しているデータを格納した持続性コンピュータ可読の記憶媒体（２２）において、前記記憶媒体（２２）は、
複数の間隔を置かれた位置の各々のために、信号を経時的に受信する（２８）ための命令と、
前記間隔を置かれた位置の各々のために、個別に、前記信号のスペクトル分析を実行する（３４）ための命令であって、前記スペクトル分析が、スペクトルを、前記間隔を置かれた位置の各々に提供する命令と、
前記間隔を置かれた位置から各スペクトルの特性を検出する（３６）ための命令と、
各スペクトルの前記特性の関数として、前記間隔を置かれた位置の１つにドップラー・ゲート位置を設定する（３８）ための命令と、
前記間隔を置かれた位置の分布を、前記分布の中心が前記設定されたドップラー・ゲート位置にあるように、前記設定されたドップラー・ゲート位置の関数として更新する（４０）ための命令と、
を具える、
持続性コンピュータ可読の記憶媒体（２２）。
【請求項１３】
前記受信する（２８）ための命令は、複数の同時の送信ビームに応答して、可能なドップラー・ゲート位置の集合のために受信すること（２８）を具える、
請求項１２に記載の持続性コンピュータ可読の記憶媒体（２２）。
【請求項１４】
前記スペクトル分析を実行する（３４）ための命令は、前記間隔を置かれた位置の各々のためにスペクトル・ストリップを生成すること（３０）を具える、
請求項１２に記載の持続性コンピュータ可読の記憶媒体（２２）。
【請求項１５】
前記検出する（３６）ための命令は、前記特性として、速度範囲、経時的な形状、強度、速度に対するエネルギーまたはこれらの組合せを検出すること（３６）を具える、
請求項１２に記載の持続性コンピュータ可読の記憶媒体（２２）。
【請求項１６】
前記検出する（３６）ための命令は、前記特性として、信号対雑音比およびクラッタ強度を検出すること（３６）を具える、
請求項１２に記載の持続性コンピュータ可読の記憶媒体（２２）。
【請求項１７】
送信ビーム位置を、前記設定されたドップラー・ゲート位置に集中させるように更新する（４０）ための命令をさらに具える、
請求項１２に記載の持続性コンピュータ可読の記憶媒体（２２）。
【請求項１８】
閾値を上回る運動を検出するための命令と、
前記特性を検出せず、ゲート配置を開始するための命令と、
をさらに具える、
請求項１２に記載の持続性コンピュータ可読の記憶媒体（２２）。
【請求項１９】
パルス波形信号からＢモード情報を生成する（３０）ための命令と、
前記Ｂモード情報用いて前記ドップラー・ゲート位置のための領域を追跡する（３２）ための命令と、
前記追跡（３２）に基づいて、前記間隔を置かれた位置を決定する（４０）ための命令と、
を具える、
請求項１２に記載の持続性コンピュータ可読の記憶媒体（２２）。
【請求項２０】
ドップラー・ゲートをスペクトル・ドップラー超音波イメージングに配置するシステムであって、前記システムは、
複数のビームを送信するように動作可能な送信ビームフォーマ（１２）と、
前記複数の送信ビームの各々に応答して、複数の間隔を置かれた受信ビームを形成するように動作可能な受信ビームフォーマ（１６）と、
を具え、
前記受信ビームの各々は、複数の深度でサンプリングされ、
前記システムは、
前記サンプリングされた受信ビームの関数として、前記ドップラー・ゲートの位置を設定するとともに、前記送信ビームフォーマを制御し、前記送信ビームおよび前記受信ビームの前記サンプリングの間隔を前記位置に集中させるように構成されたプロセッサ（２１）を具える、
システム。
【請求項２１】
前記プロセッサ（２１）は、前記送信ビームフォーマを制御して、前記ビームの前記焦点の横方向のおよび縦方向の位置を前記位置に集中させるように構成される、
請求項２０に記載のシステム。
【請求項２２】
ドップラー・ゲートをスペクトル・ドップラー超音波イメージングに配置するために、プログラムされたプロセッサ（２１）によって実行可能な命令を表しているデータを格納した持続性コンピュータ可読の記憶媒体（２２）において、前記記憶媒体（２２）は、
複数の間隔を置かれた位置の各々のために、信号を経時的に受信する（２８）ための命令と、
前記信号の少なくともいくつかから異なる時間のＢモード情報を検出する（３６）ための命令と、
前記Ｂモード情報を用いて、位置を経時的に追跡する（３２）ための命令と、
前記追跡された位置の関数として、前記間隔を置かれた位置を更新する（４０）ための命令と、
前記間隔を置かれた位置の各々のために、個別に、前記信号のスペクトル分析を実行する（３４）ための命令であって、前記スペクトル分析が、スペクトルを前記間隔を置かれた位置の各々に提供する命令と、
前記間隔を置かれた位置から各スペクトルの特性を検出する（３６）ための命令と、
各スペクトルの前記特性の関数として、前記間隔を置かれた位置の１つにドップラー・ゲート位置を設定する（３８）ための命令と、
を具える、
持続性コンピュータ可読の記憶媒体（２２）。
【発明の詳細な説明】
【技術分野】
【０００１】
本願発明は、パルス波（ＰＷ）スペクトル・ドップラー超音波に関するものである。スペクトル・ドップラー超音波イメージングは、時間（水平軸）の関数として、エネルギーによって調整される速度（垂直軸）値のイメージを提供する。このスペクトルを用いて、患者内の流体フローまたは組織の動きを研究することができる。単一のゲート位置で複数のパルスを送信することによって、スペクトル・ドップラー反応は、受信エコー信号に応答して生成される。単一の空間領域のための物体の動きまたはフローの周波数スペクトルは推定され、時間の関数として表示される。
【０００２】
超音波検査者は、手動でゲート位置、ゲートサイズ、送信周波数および他のスペクトル・ドップラー・イメージング制御パラメータを調整し、所望のイメージを獲得する。ゲート配置は、対象の組織の２ＤのＢモード・イメージの表示によって支援される。Ｂモードまたはカラー・ドップラー（Ｆモード）情報を用いて、スペクトル・ドップラー・ゲートの自動配置の方法がいくつか提案されてきた。しかしながら、ＢモードまたはＦモード情報を取得することは、比較的高いパルス繰返し周波数ＰＷドップラーの獲得を中断する。短い中断（例えば、１０〜２０ｍｓ）によって、２次元または３次元のＢモードまたはＦモードデータの少なくとも一部を獲得することができる。これは、ＰＷドップラー測定のギャップを生じる。流動力学によるＰＷドップラー波形の時間的特性に応じて、不可欠な情報が、この時間間隔の間に失われうる。
【発明の概要】
【課題を解決するための手段】
【０００３】
導入として、後述する好適実施形態は、ドップラー・ゲートをスペクトル・ドップラー超音波イメージングに配置する方法、システム、コンピュータ可読媒体および命令を含む。複数のＰＷドップラー・ゲートのために獲得されるサンプルを用いて、ＰＷドップラーから送信をインタリーブすることなく、Ｂモードおよび／またはＦモードを経時的に検出する。Ｂモードおよび／またはＦモード情報を用いて、ゲート配置を追跡する。代替的にまたは追加的に、異なるゲート位置からのスペクトルの特性を用いて、ゲート位置を選択する。いずれかの配置を用いて、サンプリングされる位置および／またはビーム特性を変更する、例えば、位置およびビーム焦点を選択されたゲート位置に集中させる。
【０００４】
第１の態様において、ドップラー・ゲートをスペクトル・ドップラー超音波イメージングに配置するための方法が提供される。送信ビームは、トランスデューサアレイから繰り返し送信される。送信に応答して、異なる受信位置からの信号は、繰り返し受信される。異なる時間の異なる受信位置を表しているＢモード情報は、信号の少なくともいくつかから検出される。ドップラー・ゲート位置は、Ｂモード情報によって追跡される。追跡されたドップラー・ゲート位置のための第１のスペクトルは、追跡されたドップラー・ゲート位置のための信号から推定される。イメージは、第１のスペクトルの関数として表示される。
【０００５】
第２の態様において、持続性コンピュータ可読の記憶媒体は、ドップラー・ゲートをスペクトル・ドップラー超音波イメージングに配置するために、プログラムされたプロセッサによって実行可能な命令を表しているデータを格納する。記憶媒体は、複数の間隔を置かれた位置の各々のために、信号を経時的に受信するための命令と、前記間隔を置かれた位置の各々のために、個別に、前記信号のスペクトル分析を実行するための命令であって、前記スペクトル分析が、スペクトルを、前記間隔を置かれた位置の各々に提供する命令と、前記間隔を置かれた位置から各スペクトルの特性を検出するための命令と、各スペクトルの前記特性の関数として、前記間隔を置かれた位置の１つにドップラー・ゲート位置を設定するための命令と、前記間隔を置かれた位置の分布を、前記分布の中心が前記設定されたドップラー・ゲート位置にあるように、前記設定されたドップラー・ゲート位置の関数として更新するための命令と、を具える。
【０００６】
第３の態様において、ドップラー・ゲートをスペクトル・ドップラー超音波イメージングに配置するためのシステムが提供される。送信ビームフォーマは、ビームを送信するように動作可能である。受信ビームフォーマは、前記複数の送信ビームの各々に応答して、複数の間隔を置かれた受信ビームを形成するように動作可能であり、前記受信ビームの各々は、複数の深度でサンプリングされる。プロセッサは、前記サンプリングされた受信ビームの関数として、前記ドップラー・ゲートの位置を設定するとともに、前記送信ビームフォーマを制御し、前記送信ビームおよび前記受信ビームの前記サンプリングの間隔を前記位置に集中させるように構成されている。
【０００７】
第４の態様において、持続性コンピュータ可読の記憶媒体は、ドップラー・ゲートをスペクトル・ドップラー超音波イメージングに配置するために、プログラムされたプロセッサによって実行可能な命令を表しているデータを格納する。記憶媒体は、複数の間隔を置かれた位置の各々のために、信号を経時的に受信するための命令と、前記信号の少なくともいくつかから異なる時間のＢモード情報を検出するための命令と、前記Ｂモード情報を用いて、位置を経時的に追跡するための命令と、前記追跡された位置の関数として、前記間隔を置かれた位置を更新するための命令と、前記間隔を置かれた位置の各々のために、個別に、前記信号のスペクトル分析を実行するための命令であって、前記スペクトル分析が、スペクトルを前記間隔を置かれた位置の各々に提供する命令と、前記間隔を置かれた位置から各スペクトルの特性を検出するための命令と、各スペクトルの前記特性の関数として、前記間隔を置かれた位置の１つにドップラー・ゲート位置を設定するための命令と、を具える。
【０００８】
本発明は以下の特許請求の範囲によって定義されるものであり、明細書を、請求項に対する制限としてみなしてはならない。本発明のさらなる態様および利点は、好適実施形態と関連して後述される。
【０００９】
コンポーネントおよび図面が必ずしも一定の比率ではなく、その代わりに、本発明の原理を説明するために強調されている。さらに、同様の参照番号は、複数の図面にわたって対応する部品を示す。
【図面の簡単な説明】
【００１０】
【図１】ドップラー・ゲートをスペクトル・ドップラー超音波イメージングに配置する方法の一実施形態のフローチャート図である。
【図２】スペクトルの一例のグラフを示す。
【図３】関心領域において平行なビーム形成のグラフを示す。
【図４】スペクトル・ストリップ表示の一例のグラフを示す。
【図５】ある時点の関心領域内のサンプル位置の集合およびドップラー・ゲート位置の一例のグラフを示す。
【図６】図５のサンプル位置の集合およびドップラー・ゲート位置の一例のグラフを示すが、異なる時間の異なる位置に対して追跡される。
【図７】ドップラー・ゲートをスペクトル・ドップラー超音波イメージングに配置するシステムの一実施形態のブロック図を示す。
【発明を実施するための形態】
【００１１】
自動ドップラー・ゲート配置は、例えば心臓弁用途のために、超音波血液流量測定において、または、組織運動測定において提供される。一旦ゲートが配置されると、たとえ患者が（例えば、呼吸により）動いても、または、トランスデューサ位置が（例えば、超音波検査者の移動により）動いても、ゲート位置は、連続配置によって確実に維持される。ゲートの連続モニタリングまたは配置は、他のタイプの走査のためのＰＷスペクトル・ドップラー獲得を中断せずに発生する。
【００１２】
マルチ送信および／または受信ビーム能力を用いて、最適なゲート配置の近傍領域において、ドップラー・ゲートの集合を獲得する。ＰＷドップラー・ゲート位置および／またはビーム形成は、複数のスペクトル・ドップラー・ゲートのためのデータの同時獲得に基づく。複数のゲートは、超音波ビーム（複数のレンジゲート）に沿って位置することができる。平行な受信ビーム形成は、横方向および／または縦方向における複数のゲートを、１つまたは複数の送信ビームによってカバーされる領域内で許容する。分割ビーム（平行な送信ビーム）を用いて、２つ以上の空間的に異なった領域を調べることができる。
【００１３】
集合のために得られるデータは、１つまたは複数の領域を表す。ドップラー・ゲートで得られるデータは、Ｂモードおよび／またはＦモード検出のために用いることもできる。スペクトル・ドップラー信号自体および／または集合のＢモード／カラー領域が、配置のために用いられる。患者またはトランスデューサの動きのために、ターゲットが移動しても、最適ゲート配置は維持される。動きの検出および追跡は、ドップラー・ゲートの集合が、ＰＷドップラー獲得を中断せずに、かつ、最高の時間的サンプリング品質を維持しながら獲得されることのみを必要とする。
【００１４】
一実施形態では、マルチ・ゲート集合獲得は、同時に獲得されたＢモードおよび／またはＦモード・イメージのためのデータを、ＰＷドップラー情報に加えて提供する。Ｂモードおよび／またはＦモード・イメージを用いて、連続追跡を行う。最適なゲート配置は、スペクトルを推定するのに使用される位置を調整することによって維持される。
【００１５】
他の実施形態では、ドップラー・ストリップは、マルチ・ゲート集合の位置ごとに発生する。各ストリップは、分析され、他のストリップと比較され、最良のゲート配置を決定する。
【００１６】
両方の方法を、一緒に用いることもできる。例えば、Ｂモード追跡を用いて、ゲートの集合を集中させる（中心に置く）。スペクトル分析を用いて、ゲートの集合からドップラー・ゲート位置を選択する。
【００１７】
いずれの方法においても、横方向および／または縦方向の送信ビーム・プロファイルおよび送信焦点深度は、最適なゲート配置に集中しているように調整可能である。集合は、最適なゲート配置に集中しているように調整可能である。送信線および／またはゲート集合の中心の焦点深度は、動きに応答して移動する。最高の送信出力および最良のビーム・プロファイル特性は、獲得したドップラー・ゲートの領域に集中され、動きを追跡しながら最良の特性を維持することができる。
【００１８】
追跡の損失が存在する、または、過剰な動きが検出される場合、システムをリセットすることができる。新しいイメージ・ベースのゲート配置サイクルは、追跡または配置を継続する代わりに、自動的に開始される。
【００１９】
図１は、ドップラー・ゲートをスペクトル・ドップラー超音波イメージングに配置する方法を示す。方法は、図７のシステム１０または異なるシステム上で実施される。ステップは図示の順序で実行されるが、他の順序も可能である。ステップ３０および３２は、ステップ３４および３６と順次にまたは同時に実行される。ステップ３８および４０は、同時に、または、任意の順序で順次に実行される。ステップ４２は、ステップ４０の前に実行可能である。他の順序を用いることもできる。
【００２０】
追加のステップや異なるステップを設けてもよいし、ステップを減らしてもよい。例えば、ステップ３０および３２は、実行されない。別の例として、ステップ３４および３６は、実行されない。さらに別の例では、ステップ４６は、実行されない。ステップ４０および／または４４は、実行されなくてもよい。さまざまな組合せを用いることができる。
【００２１】
ＰＷドップラー・ゲートを配置するために、超音波サンプルまたは信号は、空間的に異なった複数の位置に対して得られる。サンプルは、ステップ２６でビームを送信することによって得られる。１つ以上の送信ビームが、所定の時間に送信される。より大きな領域をカバーするために、同時の送信ビームを形成することができる。異なる走査線上のビームの同時形成を用いることができる。例えば、２つの送信ビームは、トランスデューサアレイ上の異なる原点から、および／または、異なる位置のトランスデューサから、異なるステアリング角度で形成される。送信ビームは、異なる走査線に沿って形成される。近視野および遠視野において、送信ビームは、オーバラップすることができる。オーバラップは、焦点領域で得られる、または、得られない。送信ビームの−６ｄＢまたは−１０ｄＢのエッジは、オーバラップまたは送信ビームからのより小さい音響出力の領域によって分離される。中間視野、遠視野および／または近視野のオーバラップしない領域を用いることができる。
【００２２】
２つ以上のビームは、実質的に同時に送信される。「実質的に」とは、異なる焦点またはステアリングのため送信の異なる遅延または開始のせいである。実質的に、他の波面のための返信されたエコーの最後がトランスデューサで受信される前に、１つの波形の波面の少なくとも一部が音響的に発生する十分な時間内で互いに送信される２つのビームを提供する。両方のビームからの波面は、任意の受信動作の前に、トランスデューサの要素の大部分によって送信可能である。同時の送信は、１つのビームのための音響波形を生成しながら、他のビームのためにも音響波形を生成することを含み、例えば、１つの要素から１つのビームのための波形を送信しながら、他の要素またはその１つの要素からの他のビームのための波形もまた送信する。
【００２３】
分割ビーム（例えば、異なる走査線に沿った実質的に同時の送信ビーム）は、考えられるあらゆる方法を使用して発生する。例えば、異なる開口は、トランスデューサアレイ上に形成される。各開口は、送信ビームの異なる１つまたは複数を送信するためである。開口はただ１つであるかまたはオーバラップせず、例えば２つの異なるビームのためのアレイの左右の半分を使用する。開口は、隣接したセクションでもよいし、空間的にインタリーブされてもよいし（例えば、１つの開口に対する１つおきの要素および他の開口に対する他の要素）、または、オーバラップしてもよい（例えば、１つ以上の要素は両方のビームのための波形を送信する）。異なる開口は、適切な遅延および／または位相パターンを適用することによって、空間的に異なった送信ビームを生じる。
【００２４】
他の実施形態では、２つ以上のビームのための波形は、実質的に同時に、同一またはオーバラップする開口に適用される。要素ごとに、異なるビームのための電気波形は、個別の遅延および／または位相およびアポディゼーション・プロファイルに基づいて結合される（例えば、加算される）。複合波形は、開口の要素から送信され、実質的に同時に送信ビームを形成する。
【００２５】
分離を受信するために、または、他のビームから１つのビームのために受信したサンプルへの貢献を制限するために、異なる中心周波数、符号化または中心周波数および符号化がビームごとに用いられる。例えば、周波数多重化が用いられる。異なる中心周波数を有する２つ以上の送信パルスが送信される。異なる遅延プロファイルが異なる周波数のパルスのために用いられ、２つ以上のビームは、（時間的に）平行に形成される。符号化に関して、任意の符号化、例えばスペクトラム拡散符号または直交符号を用いることができる。周波数ベースの符号、振幅ベースの符号、位相ベースの符号またはそれらの組み合わせを用いることができる。代替実施形態では、符号化または周波数差は提供されない。送信ビームの空間的差異は、受信信号を区別する。
【００２６】
他の実施形態では、実質的に同時に送信ビームを生成する技術の組合せを用いることができる。例えば、開口は、２つの空間的にオーバラップしているグループに分割される。グループは、異なる中心周波数を有するパルスを送信するので、周波数で分離される空間的に異なったビームが発生する。
【００２７】
他の実施形態では、１つの送信ビームは、所定の時間に形成される。送信ビームは、十分なビーム幅を伴って形成され、横方向および／または縦方向に間隔を置かれた受信走査線に沿って、受信ビーム形成を可能にする。十分な幅を有する平面波、無限焦点、拡散ビームまたは細いビームを用いることができる。分割またはマルチビームは、この種の広いまたは拡散的な波面送信ビームによって用いることができる。
【００２８】
同時のビームまたは単一のビームのために、送信は繰り返される。繰り返しによって、十分なサンプルの受信がスペクトル分析を実行することができる。
【００２９】
ステップ２８において、横に間隔を置かれた複数の位置のための信号は、送信ビームの各々に応答して受信される。受信ビームは、複数の（例えば、２つ以上（例えば３２または６４））走査線に沿って、送信ビームの各々に応答して形成される。複数の走査線および走査線に沿った範囲は、単一の送信に応答してサンプリング可能である。平行な受信ビーム形成が提供される。超音波サンプルは、実質的に同時に、同じ送信ビームに応答する複数の受信ビームに沿って得られる。他の平面波送受信技術を用いて、例えば、フーリエ変換を電気信号に各要素で適用し、異なる位置での応答を表している値のアレイを生成することができる。
【００３０】
図３は、ステップ２６において分割ビームの１つの送信を用いて、ステップ２８において複数の受信ビームを得る一実施形態を示す。２つの受信ビームが示されているが、より大きな密度、例えば送信ビーム当たり４、８、１６、３２、６４または他の数の受信ビームを提供することもできる。送信および受信ビームは、関心領域を横切る。
【００３１】
関心領域は、任意のサイズまたは形状とすることができる。関心領域は、スペクトルが推定可能な空間位置を定める。例えば、少なくとも１００の位置が、可能なスペクトル分析のためにサンプリングされる。領域は、隣接していてもよいし、分割してもよい。複数の領域を走査することができる。
【００３２】
位置の任意のサンプリング密度を、関心領域において用いることができる。位置の分布は、可能なスペクトル分析のためのサンプル点の集合である。集合は、２次元または３次元の分布とすることができる。対称または非対称の分布、例えば６４の横方向のおよび縦方向の間隔をあけた位置および１０の深度の間隔をあけた位置のサンプリングを用いることができる。
【００３３】
受信動作は、送信に応答して繰り返し発生する。送信ビーム内の横方向および／または縦方向に異なる受信位置からの信号が受信される。送信ビームの各々に応答して複数の受信ビームを形成することによって、多くの受信位置のための信号は、実質的に同時に得られる。「実質的に」とは、視野内の線に沿った音の移動時間のせいである。
【００３４】
同じ位置のためのサンプルは、経時的に得られる。超音波サンプルは、一定期間にわたって得られ、例えば、各空間位置に対して５つ以上の超音波サンプルが得られる。任意の走査シーケンスおよび／またはパルス繰返し周波数を用いることができる。
【００３５】
ＰＷドップラー・ゲートは、集合のサンプル位置の１つに配置されうる。十分なサンプルが得られ、サンプル位置の任意のための経時的なスペクトルを推定する。３つの異なる方法を、単独あるいは組み合わせて用いて、スペクトル・ＰＷドップラー・ゲートをストリップ表示のためにサンプル位置の１つに配置することができる。ステップ３０および３２は、Ｂモード検出を用いる方法を表す。ステップ３４および３６は、スペクトル分析を用いる方法を表す。ステップ４６は、Ｆモード検出を用いる方法を表す。他の方法を用いることもできる。
【００３６】
ステップ３０において、Ｂモード情報が生成される。Ｂモード情報は、ＰＷドップラー・サンプルから生成される。送信および／または受信特性（例えば、周波数、サイクル数、Ｆ＃または開口）は、一般的にＰＷドップラーおよびＢモードに対して異なりうるが、ＰＷドップラーのために得られるサンプルを、Ｂモード検出のために用いることができる。送信および／または受信特性は、スペクトル分析およびＢモード検出の両方ために危うくなりうるし、あるいは、他の実施形態では、Ｂモード検出のために最適化されうる。同一データを、両方のために用いる。
【００３７】
スペクトル分析のために、同じ位置からの信号のアンサンブル、例えば各スペクトルのための５〜２０のサンプルが得られる。サンプルは、継続的に得られるので、任意のステップ・サイズ（例えば、全サンプルまたは２つおきのサンプル）を有する移動ウィンドウ（例えば、アンサンブルまたはフロー・サンプル・カウント）を用いて、スペクトルを推定する。Ｂモード検出は、単一のサンプルを用いて強度を推定する。所定のアンサンブルからサンプルの１つが選択され、用いられる。Ｂモードを異なる時間に推定するために、同一または異なるアンサンブルの異なる時間からの信号が選択される。Ｂモード情報は、最大の時間分解能のために信号ごとに検出可能である。他の実施形態では、全てより少ない信号が、Ｂモード検出のために用いられ、例えば５つのサンプルごとにＢモード検出を実行する。
【００３８】
信号が集合のために得られるので、Ｂモードデータは関心領域のために検出される。異なる受信位置に対する信号の１つのサンプルからの強度は、検出される。検出は、異なる時間に実行される。Ｂモード情報は、一般に、患者内の組織または他の構造からの応答を表す。経時的に検出することによって、関心領域の組織は、異なる時間に検出される。動きが発生すると、組織は出現し、シフトし、回転し、圧縮し、または、拡大する。Ｂモード情報は、経時的な変化を反映する。
【００３９】
ステップ３２において、位置は、Ｂモード情報を用いて経時的に追跡される。位置は、ドップラー・ゲート位置である。例えば、ユーザは、初期のドップラー・ゲートを配置する。別の例として、ステップ４６またはステップ３４および３６を用いて、ドップラー・ゲートを初期配置する。他の例では、従来のＢモード走査（例えば、包囲された境界の中央にゲートを配置する境界またはエッジ検出）または他の方法を用いた自動配置が用いられる。
【００４０】
ドップラー・ゲートの位置は、追跡される。他の実施形態では、追跡されている位置は、全関心領域である。他の位置、例えば、関心領域の中心または関心領域のサブエリアまたはサブボリュームも、追跡可能である。
【００４１】
追跡は、経時的な位置の変化を検出する。位置は、あるときに１つの座標に存在しうるが、他のときに他の座標に存在するようにシフトすることができる。座標は、走査に関して、例えば超音波振動子からの走査形式に関して定められる。位置は、患者に関連している。異なる時間の異なる座標のデータは、同じ位置を表すことができる。
【００４２】
位置を追跡するために、異なる空間位置を表しているＢモード情報のカーネルが用いられる。任意のサイズのカーネル（例えば９×９または１２×１２×１２の位置または全関心領域の周辺近傍）を提供することができる。全関心領域を、カーネルとして用いることができる。
【００４３】
カーネルは、基準設定である。基準は、第１の時間、選択された時間または所定の時間に、Ｂモード情報のために存在する。基準は更新され、例えば基準を経時的に変える。例えば、基準Ｂモード情報は、移動ウィンドウにおいて直前に獲得されたＢモード情報と時間的に隣接している。他のフレームのＢモード情報が検出されるたびに、基準Ｂモード情報は更新される。他の実施形態では、一旦ステップ４０の集合位置および／またはビーム位置（例えば、走査線シフト）を変更するのに十分な動きが発生すると、基準Ｂモード情報は更新される。
【００４４】
追跡のために、参照情報は、他の時間からのＢモード情報と比較される。多重比較は、２回のＢモード情報の間になされる。様々な並進、回転および／または拡大縮小が試みられる。最良または最高の類似性を有する並進、回転および／または拡大縮小は、時々適所にある動きまたは変化を示す。一実施形態では、並進のみが追跡される。
【００４５】
類似性の任意の計測を使用することができる。例えば、絶対差の最小和が算出される。相互相関または他の方法を用いることができる。
【００４６】
経時的なドップラー・ゲートのための配置を決定する他の方法では、ステップ３４において、スペクトルは、異なる位置のために推定される。スペクトルは、受信位置のために推定される。スペクトルは、空間的に異なった位置の各々のために推定される。スペクトルは、異なる深度、高度および／または横方向の位置において超音波サンプルから推定される。スペクトルは、サンプルが獲得される期間に対応する。各関心空間位置、例えば関心領域、イメージ・フィールドまたは他の分布のすべての位置に対して、スペクトルは算出される。スペクトルは、空間位置のサブセットのためにだけ決定され、例えば、限られた領域内で疎にサンプリングされた位置または密にサンプリングされた位置のためのスペクトルを決定することができる。
【００４７】
各受信位置のために、１つまたは複数のスペクトルは受信信号から推定される。スペクトルは、空間的に異なった位置の各々を表している超音波サンプルに、フーリエ変換、ウェーブレット変換またはウィグナー・ヴィレ分布を適用することによって推定される。空間的に異なった位置は、オーバラップの有無にかかわらず、異なるレンジゲート、例えば異なる中心位置、サイズまたはその両方に対応する。任意の変換を適用し、空間的に異なった位置の各々のためのスペクトルを決定することができる。各スペクトルは、周波数の関数として、エネルギーを表す（図２参照）。
【００４８】
複数のスペクトルは、位置の各々のために推定される。図４は、同じ位置のスペクトルのスペクトル・ストリップを経時的に示す。異なるスペクトルは、獲得の異なる期間またはアンサンブルに対応する異なる時間に、同じ空間位置のために推定可能である。所定の時間のスペクトルは、水平軸上の速度および強度を調整しているエネルギーによってマップされる。他のマッピングを用いることもできる。スペクトルは、推定されるが、表示してもしなくてもよい。
【００４９】
信号のスペクトル分析は、間隔を置かれた位置の各々のために個別に実行される。各所定の位置のための信号を用いて、他の位置から信号のないスペクトル分析を行う。代替実施形態では、信号はスペクトル分析の前に空間的におよび／または時間的にフィルタリングされるが、個別のスペクトルは各位置のために提供される。
【００５０】
所定の時間またはサンプリング期間を表す一組のスペクトルは、推定される。一実施形態では、スペクトルを決定するための空間位置の全ては、同じ時間に（例えば、同じ送信および受信イベント）サンプリングされる。スペクトルは、生理的サイクル、例えば心臓サイクルに関連して、同じ時間にサンプリングされる。１つの期間だけのスペクトルを、推定することもできる。同じ位置のためのスペクトルは、異なる期間に推定され、スペクトル情報を変化させている時間を提供する。スペクトルを所定の時間に推定するのに用いられるサンプルは、同様に他の時間に推定のために用いられ、例えば、サンプルを選択するための時間的に可動ウィンドウを使用して、反復する推定に関連している。
【００５１】
ステップ３６において、各位置のためのスペクトルの１つ以上の特性が検出される。スペクトルの任意の特性、例えば、最高速度、最低速度、平均速度、メジアン速度、最大エネルギー、最大エネルギーに関連する速度、強度、速度の分散、速度の範囲、スペクトルの傾斜または傾向、傾斜の変化の位置、経時的な形状、パターンまたはスペクトル・テンプレートに対する類似性、クラッタ、信号対雑音比、エネルギーおよび速度の組合せまたは既知または測定されたサイクルに関連する位相シフトを用いることができる。
【００５２】
スペクトルの特性は、１つのスペクトルから、その位置のため他のスペクトルとの比較後に導出可能である。例えば、位置のための全スペクトルにおける最大速度は、１つのスペクトルと関連する。複数のスペクトルの単一のスペクトルは、例えば、最初または最後のスペクトルからのクラッタを用いて、特性のために分析可能である。スペクトルの組合せ、例えば、スペクトルのテンプレートを位置のためのスペクトルとマッチングさせるパターンを用いることができる。
【００５３】
異なるタイプのスペクトル情報は、異なる診断目的に役立ちうる。例えば、最大速度は、組織健康状態をより正確に示すことができる。スペクトルの分散は、フロー状態を示すことができる。スペクトル・ストリップに提供される有益な情報は、同じ時間に多くの位置に利用でき、所望の特性に関連するスペクトルの選択を提供する。最大速度によって１つまたは複数のスペクトルの位置を決めることは、ユーザが推測した位置より良好なフロー情報を提供することができる。
【００５４】
現在周知であるか将来開発される他の技術を用いて、スペクトルの特性を特徴付けるまたは決定することができる。例えば、わずか１だけ閾値レベルを上回る最高速度または閾値以上の速度は、最大速度を示す。最大速度は、スペクトルの閾値または雑音レベルを上回る隣接する値に関連する２つ以上の最高速度の最高速度または平均である。信号対雑音比は、１つまたは複数のスペクトルのエネルギーまたは輝度を、送信機をオフにした状態のサンプルおよび送信機を動作させた状態のサンプルから測定することによって算出可能である。別の例として、クラッタは、速度およびエネルギーのマッピングに基づいて測定可能であり、例えば、低速度を有する高エネルギーは、より強いクラッタ強度を示す。クラッタは、クラッタフィルタリングを用いた場合と用いていない場合のエネルギーの比率または相違によって測定可能である。
【００５５】
ステップ４６において、Ｆモード情報は、信号から推定される。Ｆモードは、カラー・ドップラーまたは平均速度、エネルギーおよび／または分散の他の空間的に分布した推定である。同じアンサンブルまたはスペクトル推定のために得られるアンサンブルのサブセットを用いて、異なる位置のためのＦモード情報は、推定される。Ｆモード情報は、フローの特性、例えばより高いおよびより低いフロー位置を有するフロー領域を示す。
【００５６】
ステップ３８において、ドップラー・ゲート位置は、設定される。集合の位置の１つは、ドップラー・ゲート位置またはスペクトルが表示または出力されるべき位置として選択される。複数の位置は選択可能であり、例えば、心臓弁の両側上の位置を選択すると、スペクトル情報は、両方の位置のために提供される。
【００５７】
位置は、追跡されたＢモード位置、スペクトルの特性またはＦモード情報に基づいて設定される。Ｂモード追跡のために、追跡されたドップラー・ゲートのための位置が用いられる。初期位置が位置を変えると、新しい位置からの信号がスペクトル分析のために使われる。追跡は、患者の特徴または構造に従う。異なる時間に、異なる座標からの信号は、特徴の反応を表す。経時的に追跡された位置からの信号を用いて、結果として生じるスペクトルは、動きにもかかわらず特徴を表す。
【００５８】
異なる位置からの信号を用いて、個別にスペクトルを推定する。追跡されたドップラー・ゲートが位置を変えると、任意の新しいスペクトルが新しい位置のために決定される。このスペクトルは、１つまたは複数の以前の位置からスペクトル・ストリップまたはスペクトルに加えられる。代替的にまたは付加的に、異なる位置からの信号は進行中のストリームに結合可能であり、例えば、異なる位置から信号をスペクトルの推定のための所定のアンサンブルに含む。
【００５９】
ドップラー・ゲート位置をスペクトル特性に基づいて設定するために、異なる位置のためのスペクトルの特性が比較される。例えば、異なる位置のスペクトルに対するテンプレートの最良の適合は、識別される。別の例として、正しいフロー特性、例えば所定のレベル超の速度の大部分を有し、望ましくない特性、例えばクラッタの最少量を有する位置が選択される。ファジー論理、マッピング、重み付け平均または他の論理を用いて、異なる特性のための値を結合し、１つの位置を選択することができる。あるいは、最良のゲート位置は、強いクラッタ信号を有するゲートを無視しながら高い速度信号のための最高の信号対雑音比を有する位置とすることができる。
【００６０】
他の方法では、ドップラー・ゲート位置は、Ｆモード情報を使用して設定される。重心またはフローの最大領域の幾何中心に関連する位置は、識別される。弁または他の対象物に関連するフロー特性は、識別され、位置を設定するために用いることができる。最高速度、エネルギー、分散またはそれらの組み合わせに関連した位置を用いることができる。
【００６１】
一実施形態では、ドップラー・ゲート位置は、方法の組合せに基づいて設定される。Ｂモード、スペクトル分析およびＦモード方法の２つまたは３つの任意の組合せを用いることができる。他の方法を、Ｂモード、スペクトル分析およびＦモード方法の１つ、２つまたは３つ全てと組み合わせて用いることができる。組合せは、各方法によって出力された位置を平均することによって用いられる。組合せは、異なる方法によって出力された位置を、基準に基づいて、例えば、他の出力位置に最も類似の位置（例えば、３つの可能性からの中間の位置）に基づいて選択することによって用いられる。
【００６２】
一実施形態では、組合せは、１つの方法による暫定的な設定であり、その後他の方法を用いて改良される。例えば、Ｂモード情報を用いて、初期のドップラー・ゲートを追跡する。追跡を用いて、位置の集合を決定する（以下のステップ４０参照）。マルチ・ゲート集合が得られ、スペクトル分析を用いて、ドップラー・ゲート位置を集合から選択する。その後、追跡は、方法の反復において選択されたドップラー・ゲート位置に基づいて実行される。これは、最適なゲート配置が心臓サイクル全体にわたって時間変化するという可能性を許容する。
【００６３】
他の例の組合せにおいて、Ｂモード追跡は、Ｆモード情報に基づいて改善される。Ｂモード追跡は、集合の位置を示す。追跡された集合のためのＦモード情報を用いて、ドップラー・ゲート位置を、例えば検出フローの中心に設定する。病気の弁で見つかる、例えば石灰化による、複雑なフロー・プロファイルは、正および負の両方のフロー（すなわち、トランスデューサに向かう方向および離れる方向のフロー）を有することができる。Ｆモード情報を用いて、複雑なフロー・プロファイルにおいて要求されるドップラー・ゲートを適切に配置することができる。
【００６４】
ステップ４２において、配置されたドップラー・ゲートのためのスペクトルは、選択または推定される。ステップ３８において、設定される１つまたは複数の位置は、スペクトル・ドップラーのために使用する信号を定める。位置が経時的に変化するので、スペクトル・ドップラーのために使用される信号は、古い位置、新しい位置または新旧両方の位置に基づく。スペクトルがすでに推定されている場合、例えば、ステップ３４において、スペクトルは選択可能である（例えば、メモリからロードされる）。あるいは、スペクトルは、同一または異なる推定設定によって再び算出される（例えばフロー・サンプル・カウントまたはアンサンブル・サイズ、または、位置の組合せからのサンプルは、１つのアンサンブルにおいて用いられる）。スペクトルがドップラー・ゲート位置を設定するために以前に推定されていない場合、推定は実行される。
【００６５】
ステップ４４において、イメージは、表示される。イメージは、複数の空間的に異なった位置のためのスペクトルの少なくとも１つの関数である。スペクトルを用いて、情報をユーザに提供する。他の実施形態では、イメージは、１つのスペクトルのみに関連する情報を提供することができる。
【００６６】
一実施形態では、ドップラー・ゲート位置のためのスペクトル・ストリップが表示される。図４は、説明のために単純化されたスペクトル・ストリップ表示の一例を示す。スペクトル・ストリップは、時間の関数として、エネルギーによって調整される周波数を示す。現在周知であるか将来開発される他の任意のスペクトル・ストリップ・マッピング、例えば、強度がエネルギーを表すグレイスケール・マッピングを用いることができる。フィルタリングを、スペクトルを滑らかにするために適用することができる。スペクトル・ストリップの特性は決定され、表示され、例えばスペクトル・ストリップにおいて、時間の関数として、最大速度を視覚的に追跡する。
【００６７】
ドップラー・ゲートのための位置または座標が経時的に変化しうるので、スペクトル・ストリップは異なる位置のための信号から生成される。種々のスペクトルは、異なる位置のための信号から推定可能である。所定のスペクトルは、異なる位置から、信号から推定可能である。ドップラー・ゲート位置が異なる時間に異なる位置に設定されるので、スペクトル・ストリップは、まるで所定のドップラー・ゲート位置を表すかのように継続的に表示される。
【００６８】
複数のストリップは、表示可能である。例えば、２つ以上の選択された位置のためのスペクトル・ストリップは、比較のために出力される。複数の選択されたドップラー・ゲート位置の各々は、経時的に追跡または配置される。結果として生じる複数のスペクトル・ストリップは、患者の所望の特徴のためのスペクトルを提供する。
【００６９】
一実施形態では、スペクトル・ストリップは、空間イメージ、例えば１次元のＭモード、２次元のＢモード、２次元のＦモードまたはそれらの組み合わせのイメージによって表示される。イメージは、ＰＷドップラー・サンプリングのために得られるデータを用いた関心領域である。選択された１つまたは複数のスペクトルの位置は、イメージにおいて視覚的に表示可能であり、例えば図５および図６において、視野の関心領域内の円によって表されている。例えば、テキスト、色、符号または他のインジケータは、ユーザに、選択されたスペクトルに対応する自動的に決定されたレンジゲートのための位置を示す。複数のスペクトルが表示される場合、獲得レンジゲートと表示されたスペクトルとの間のマッチしたカラーコーディングを用いることができる。例えば、レンジゲートの位置の印は、オレンジを使用する。対応するスペクトルは、オレンジで陰影をつけるか、オレンジで輪郭を描くか、または、オレンジでラベルをつける。他の印、例えばテキストラベルまたは番号付けを用いることもできる。
【００７０】
ステップ４０において、ステップ２６および２８は、ドップラー・ゲートの位置を設定に基づいて更新される。ドップラー・ゲートが、動きにより異なる座標に変化するので、データの獲得は変化する。
【００７１】
一実施形態では、送信ビームおよび／または受信ビームの位置は、ドップラー・ゲート位置に集中するように変更される。ビーム位置の任意の特性、例えば走査線の原点、走査線の角度または焦点を設定することができる。例えば、走査線の角度は、横方向または縦方向に変更され、設定されたドップラー・ゲートをカバーする。送信ビームは、複数の横方向および縦方向の位置をカバーすることができる。エネルギーは、送信ビームの中心で強いので、送信ビームの中心または走査線は変更され、ドップラー・ゲートの現在位置をカバーする。受信ビームは、同様に配置され、設定されたドップラー・ゲートの現在位置と交差する。
【００７２】
焦点は、ドップラー・ゲートに変化可能である。ドップラー・ゲートが異なる深度にある場合、焦点は異なる深度に変化される。
【００７３】
ビームの他の特性は、位置によって変化することができる。例えば、送信ビームは、広くも狭くもできる。Ｆ＃、アポディゼーションまたは開口は、位置に基づいて変化することができる。
【００７４】
ビームの更新は、他の位置より高い信号対雑音比をドップラー・ゲート位置に提供することができる。ドップラー・ゲートを用いて情報を出力するので、より高い信号対雑音比は要求される。他の位置は、ドップラー・ゲートを配置するために、依然サンプリングされる。代替実施形態では、ビームは、ドップラー・ゲートの設定に基づいて変化しない。
【００７５】
他の実施形態では、間隔を置かれた位置の集合は、設定されたドップラー・ゲートに基づいて決められる。空間サンプリングは、ドップラー・ゲートを配置するためにある。以前のドップラー・ゲートを考えると、空間サンプリングは、将来のゲート位置の設定を最適化するためのドップラー・ゲートに集中している。図５は、ボックス内の点によって表される関心領域の集合を示す。集合は、円に位置するドップラー・ゲートに集中している。中心とは別の位置は、ドップラー・ゲートに適合することができる。サンプリング分布または集合は、設定されたドップラー・ゲートに集中するように、経時的に更新される。ドップラー・ゲートが変化するので、サンプリングされた位置もまた変化する。図６は、視野に対する座標を変えているドップラー・ゲートの位置を示す。集合も変化する。代替実施形態では、サンプリングされた位置は一定である、すなわち、設定に基づいて変化しない。
【００７６】
サンプリング分布は、ビームの変化に基づいて変化することができる。ビームが位置を変えるので、サンプリング位置も同様に変化する。他の実施形態では、サンプリング位置は変化するが、ビームは維持され、逆もまた同じである。
【００７７】
最適なドップラー・ゲート配置からの小さい偏位は、信号の獲得における変化をトリガしない。例えば、ドップラー・ゲートの位置の変化は、閾値と比較される。サンプリング分布内の１つまたは２つの（または他の距離）位置幅による変化は、獲得における変化をトリガしないが、より大きな変化は変化をトリガする。
【００７８】
ドップラー・ゲート配置の動きまたは変化は、他の目的のために用いることができる。プロセスまたはステップ２６〜４６は、ドップラー・ゲートの初期設定に基づいて進行中である。動きが発生すると、ドップラー・ゲート配置は更新される。大きく迅速な動きに対して、設定は、要望通り実行することができない。十分に大規模な（しきい値量を越える）動きを検出することに応答して、プロセスは、再開しうる。ドップラー・ゲートは、手動で、または、ドップラー・ゲート配置の追跡または他の設定最新の前に初めに、再設定される。ゲート位置は、Ｂモード追跡、Ｆモードの設定またはスペクトル分析なしで実行される。例えば、集合からの信号が完全に失われる、または、Ｂモードに基づく追跡は、大きく外れた追跡であると決定される（例えば、最高の類似性が閾値以下にある）場合、システムは、Ｂモードおよび／またはＦモード獲得への応答（すなわち、ＰＷドップラー獲得の有無にかかわらずインタリーブされる）を間隔の間トリガする。インタリーブされたＢモードまたはＦモード走査によって、新しいゲート集合位置がイメージ・ベースの技術を介して、または、手動で決定可能である。このトリガリングは、代替的にあるいは付加的にＥＣＧ波形に基づくので、位置分析のために必要とされる獲得が、心周期の周知の部分で実行される。
【００７９】
図７は、ドップラー・ゲートをスペクトル・ドップラー超音波イメージングに配置するシステム１０を示す。システム１０は、医用診断超音波イメージング・システムであるが、ワークステーションのような他のイメージング・システムを用いることもできる。システム１０は、ドップラー・ゲート位置のためのスペクトルを推定し、ＢモードまたはＦモードの特定の獲得のためのインターリービングのないＰＷサンプリングに基づいて、ドップラー・ゲート位置を経時的に配置する。システム１０は、サンプル位置の集合を中央に置き、送信ビームおよび／または受信ビームをドップラー・ゲートに集中させる。ドップラー・ゲートが動きのため異なる位置に設定されるので、集合およびビーム中心は再配置される。
【００８０】
システム１０は、送信ビームフォーマ１２、トランスデューサ１４、受信ビームフォーマ１６、イメージ・プロセッサ１８、ディスプレイ２０およびメモリ２２を含む。追加のコンポーネントまたは異なるコンポーネントを設けることもできるし、コンポーネントを減らすこともできる。例えば、システム１０は、フロントエンドのビームフォーマ１２、１６およびトランスデューサ１４を含まなくてもよいし、システム１０は走査コンバータを含んでもよい。
【００８１】
トランスデューサ１４は、複数の要素のアレイである。要素は、圧電性または容量性膜要素である。アレイは、１次元アレイ、２次元アレイ、１．５Ｄアレイ、１．２５Ｄアレイ、１．７５Ｄアレイ、環状アレイ、多次元アレイ、それらの組み合わせ、または、現在周知であるか将来開発される他の任意のアレイとして構成される。トランスデューサ要素は、音響エネルギーと電気エネルギーとの間の変換を行う。トランスデューサ１４は、送信／受信スイッチを介して送信ビームフォーマ１２および受信ビームフォーマ１６に接続されるが、他の実施形態では個別の接続を用いることもできる。
【００８２】
送信ビームフォーマ１２は、受信ビームフォーマ１６と別個に示される。あるいは、送信ビームフォーマ１２および受信ビームフォーマ１６は、いくつかまたはすべてのコンポーネントを共通して備えることもできる。送信ビームフォーマ１２および受信ビームフォーマ１６は、一緒にまたは単独で動作して、１、２または３次元領域を走査するための音響エネルギーのビームを形成する。ベクタ（登録商標）セクタ、リニアまたは他の走査形式を用いることができる。
【００８３】
送信ビームフォーマ１２は、プロセッサ、遅延、フィルタ、波形発生器、メモリ、位相回転器、デジタル／アナログ変換器、増幅器、それらの組み合わせ、または、現在周知であるか将来開発される任意の他の送信ビームフォーマ・コンポーネントである。一実施形態では、送信ビームフォーマ１２は、エンベロープ・サンプルをデジタル的に生成する。フィルタリング、遅延、位相回転、デジタル／アナログ変換および増幅を用いて、所望の送信波形が生成される。他の実施態様では、送信ビームフォーマ１２は、スイッチング・パルサまたは送信される波形を保存する波形メモリを含む。他の送信ビームフォーマ１２を用いることもできる。
【００８４】
送信ビームフォーマ１２は、トランスデューサ１４の送信開口の各要素に対して、送信波形の電気信号を生成するための複数のチャンネルとして構成される。波形は、所望の中心周波数または周波数帯域を有し、１サイクル、多数のサイクル、または、数サイクル分の１のユニポーラ波、バイポーラ波、ステップ波、サイン波または他の波形である。波形は、音響エネルギーを焦束するための相対的遅延および／または位相および振幅を有する。送信ビームフォーマ１２は、開口（例えば能動要素の数）、複数のチャンネルにわたるアポディゼーション・プロファイル（例えば、質量の種類または中心）、複数のチャンネルにわたる遅延プロファイル、複数のチャンネルにわたる位相プロファイル、中心周波数、周波数帯域、波形形状、サイクル数、符号化およびそれらの組み合わせを変えるためのコントローラを含む。
【００８５】
送信ビームフォーマ１２は、超音波エネルギーの１つ以上の送信ビームを実質的に同時に送信するように動作可能である。送信ビームは、送信開口内の位置でトランスデューサ１４から生じる。送信ビームは、任意の所望の角度で走査線に沿って形成される。音響エネルギーは走査線に沿って１点に焦束されるが、複数の点、線焦点、焦点なしまたは他の広がりを用いることもできる。送信ビームは広い領域を実質的にカバーし、例えば、発散、平面波、コリメート、焦点なし、弱い焦点、または、複数の受信線をカバーするために集束される。「実質的に」とは、ノイズより大きいエコーおよびイメージングを提供するのに十分な音響エネルギーのせいである。一実施形態では、送信ビームは、カラム（例えば、８×８）、面（１×６４）または他の配置（例えば、４×１６）に分布した最高６４の受信ビームまたは走査線をカバーするのに十分に広い。アポディゼーション、開口および遅延プロファイルを制御することによって、異なるサイズ領域を、所定の送信ビームで走査することができる。
【００８６】
送信ビームフォーマ１２は、複数ビームまたは分割ビームを生成することができる。分割ビームは、実質的に同時に２つの領域のためのパルス波スペクトル・ドップラーを推定するために形成される。代替実施形態では、単一の送信ビームは、送信イベント毎に形成される。
【００８７】
分割ビームのために、複数の送信ビームは、実質的に同時に発生する。例えば、送信ビームは、格子ローブ（lobe）によって生成される。焦点、アポディゼーション、開口（例えば、要素の不連続な選択）または他の特性が設定され、任意のノイズより大きいエコーを生成するために十分な振幅で格子ローブを生ずる。高振幅の送信ビームは、アレイの法線から離れたある角度に導かれ、格子ローブを生成することができる。サンプルは、一次ビームおよび格子ローブに応答して受信される。別の例として、トランスデューサアレイは、２つ以上の開口に分割される。個別の開口を用いて、異なる送信ビームを形成する。他の例では、周波数または他の符号化が用いられる。さらに他の例では、同一開口を用いて、各要素で両方のビームのための遅延波形を結合することによって複数のビームを送信する。これらの例を組み合わせることもできる。
【００８８】
受信ビームフォーマ１６は、プリアンプ、フィルタ、位相回転器、遅延器、加算器、ベース・バンド・フィルタ、プロセッサ、バッファ、メモリ、それらの組み合わせ、または、現在周知であるか将来開発される他の受信ビームフォーマ・コンポーネントである。送信イベントに応答して１つ以上のビームを受信することができるアナログまたはデジタル受信ビームフォーマを用いることができる。例えば、受信ビームフォーマ１６は、同一送信に応答して６４または他の数の受信ビームを実質的に同時に形成するのに十分な処理能力および／または、ハードウェアコンポーネントを有する。並列および／または逐次処理を用いて、複数のビームを形成することもできる。全受信イベントのための各要素に対する超音波サンプルをメモリに格納せずに、平行なビーム形成を提供することができる。あるいは、メモリを用いて、各要素に対する超音波サンプルを保存することもできる。
【００８９】
受信ビームフォーマ１６は、エコーを表す電気信号またはトランスデューサ１４に影響を与える音響エネルギーを受信するための複数のチャンネルに構成される。トランスデューサ１４内の受信開口の要素の各々からのチャネルは、アポディゼーション増幅を適用するための増幅器に接続される。アナログ・デジタル変換器は、増幅されたエコー信号をデジタル化する。デジタル無線周波数受信データは、ベース・バンド周波数に復調される。動的受信遅延のような任意の受信遅延および／または位相回転は、その後、増幅器および／または遅延器によって適用される。デジタルまたはアナログの加算器は、受信開口の異なるチャネルからのデータを結合し、１つまたは複数の受信ビームを形成する。加算器は、単一の加算器またはカスケードされた加算器である。加算器は、相対的に遅延およびアポダイズされたチャネル情報を加算し、ビームを形成する。一実施形態では、ビーム形成加算器は、複雑な方法で同相および求積チャネル・データを加算するように動作可能であり、位相情報は、形成されたビームに対して維持される。あるいは、ビーム形成加算器は、位相情報を維持することなく、データ振幅または強度を加算する。他の受信ビーム形成、例えば、中間周波数帯域に対する復調および／またはチャネルの異なる部分でアナログ・デジタル変換を提供することができる。
【００９０】
平行した受信動作のために、異なる遅延、アポディゼーションおよび加算が、複数のビームのために提供される。分割またはマルチ送信ビームのために、平行なビーム形成の同一または異なる数が、ビームごとに用いられる。例えば、２つの送信ビームが形成される。３２の受信ビームは、２つの送信ビームの各々のために形成される。別の例として、８つの受信ビームは１つの送信ビームから形成され、２４の受信ビームは他の送信ビームから形成される。
【００９１】
受信開口（例えば、要素の数、どの要素が受信処理に用いられるか）、アポディゼーション・プロファイル、遅延プロファイル、位相プロファイル、イメージング周波数、逆符号化、および、それらの組み合わせを含むビーム形成パラメータは、受信ビーム形成のための受信信号に適用される。例えば、相対的遅延および振幅またはアポディゼーションは、１つ以上の走査線に沿って音響エネルギーを焦束する。コントロール・プロセッサは、受信ビーム形成のためのさまざまなビーム形成パラメータを制御する。
【００９２】
１つ以上の受信ビームは、各送信ビームに応答して発生する。例えば、最高６４または他の数の受信ビームは、１つの送信ビームに応答して形成される。各受信ビームは、他の受信ビームから２次元または３次元おいて横方向および／または縦方向に間隔を置かれるので、サンプルは、異なる走査線に沿った位置のために得られる。
【００９３】
音響エコーは、送信ビームに応答してトランスデューサ１４によって受信される。エコーはトランスデューサ１４によって電気信号に変換され、受信ビームフォーマ１６は電気信号から受信ビームを形成する。受信ビームは、対応する送信ビームに対して、共線、平行およびオフセットまたは非平行である。受信ビームは、空間的双方向の違いを構成するように調整され、例えば、遅延プロファイルおよび／または振幅は、送信ビーム中心に近い受信ビームに対しては、送信ビーム中心から間隔を置いて配置される受信ビームとは異なって、調整される。あるいは、単一の受信ビームは、各送信ビームに対して生成される。
【００９４】
受信ビームフォーマ１６は、走査領域の異なる空間位置を表すデータを出力する。受信ビームフォーマ１６は、各受信ビームに沿って異なる深度でサンプルを生成する。動的集束を用いて、サンプルは、異なる深度のために形成される。異なる受信ビームおよび走査線を用いて、サンプルは、２次元または３次元分布の位置から形成される。超音波データは、コヒーレントである（すなわち、位相情報が維持されている）が、インコヒーレント・データを含むこともできる。
【００９５】
イメージ・プロセッサ１８は、スペクトル・ドップラー・プロセッサおよび／またはイメージング検出器を含む。一実施形態では、イメージ・プロセッサ１８は、デジタル信号プロセッサまたは受信ビーム・データに変換を適用するための他のデバイスである。一連の送信および受信イベントは、一定期間にわたって実行される。バッファまたはメモリ２２は、各送信および受信イベントからの受信ビーム形成データを保存する。任意のパルス繰返し間隔を、送信ビームのために用いることができる。任意数（例えば３以上）の送信および受信イベントを用いて、スペクトルを決定することができる。イメージ・プロセッサ２０は、異なる位置（例えば、関心領域の各受信ビームの各深度）の各々のためのスペクトルを推定する。離散または高速フーリエ変換または他の変換を、同じ空間位置のための超音波サンプルに適用することによって、位置からの応答を表すスペクトルは決定される。サンプルを獲得する期間の異なる周波数でのエネルギーレベルを表すヒストグラムまたはデータは得られる。図２は、空間位置のためのスペクトルの一例を示す。
【００９６】
方法を繰り返すことによって、イメージ・プロセッサ２０は、異なる時間に所定の位置のための異なるスペクトルを得ることができる。オーバラップするデータを用いることができ、例えば選択された超音波サンプルの移動ウィンドウを有する各スペクトルを算出する。あるいは、各超音波サンプルが、単一の期間およびスペクトルのために用いられる。
【００９７】
スペクトルは、複数の空間位置の各々のために、例えば６４または他の数の受信ビームの各々ために２００超の深度に対して決定可能である。各位置のためのデータは、変換される。イメージ・プロセッサ１８は、並列処理のための複数のコンポーネントを含むこともできるし、並列または逐次推定のための単一のコンポーネントを含むこともできる。
【００９８】
イメージ・プロセッサ１８は、所定のスペクトルから、または、複数のスペクトルから情報を得ることができる。一実施形態では、イメージ・プロセッサ１８は、クラッターレベル、信号対雑音比、最大速度、速度範囲および／または他の特性を決定する。最大速度または各スペクトルの他の特性を決定することによって、動きまたは流れに関する位置を識別することができる。ドップラー・ゲートの最適位置は、識別される。
【００９９】
イメージ・プロセッサ１８は、スペクトル・ドップラーのために得られるサンプルから強度を決定するためのＢモード検出器を含むことができる。イメージ・プロセッサ１８は、相関プロセッサまたはスペクトル・ドップラーのために得られるサンプルから平均速度、分散および／またはエネルギーを決定するための他のカラー・ドップラー検出器を含むことができる。１つ以上のフィルタ、例えば、クラッタフィルタ、空間フィルタまたは時間フィルタを提供することができる。
【０１００】
検出器は、インコヒーレント・イメージ・データを出力する。フィルタリング、補間および／または走査変換のような追加の方法は、イメージ・プロセッサ１８によって提供可能である。
【０１０１】
プロセッサ２１が、設けられている。プロセッサ２１は、イメージ・プロセッサ１８の一部とすることができる。推定または検出に用いられる１つまたは複数のプロセッサは、イメージングおよび／またはシステム１０を制御する。プロセッサ２１は、一般のプロセッサ、コントロール・プロセッサ、デジタル信号プロセッサ、特定用途向け集積回路、フィールド・プログラマブルゲートアレイ、グラフィックス処理ユニット、アナログ回路、デジタル回路、それらの組み合わせまたは現在周知であるか将来開発される他の処理用デバイスである。プロセッサ２１は、ハードウェア、ソフトウェアまたは両方によって、さまざまなステップ、例えば図１において上述したステップの性能を実行するように構成される。
【０１０２】
プロセッサ２１は、サンプリングされた受信ビームの関数として、ドップラー・ゲートの位置を設定するように構成される。サンプルは、異なる位置でスペクトル分析のために得られる。他のモードの別々の走査のためのインターリービングなしで、スペクトル・ドップラーのためのサンプルを、Ｂモードおよび／またはＦモード検出のために用いることもできる。あるいは、ＢモードおよびＦモード検出は実行されず、位置はスペクトル分析に基づいて設定される。
【０１０３】
Ｂモード情報、Ｆモード情報、スペクトル・ドップラー情報またはそれらの組み合わせを用いて、所定の時間または期間のドップラー・ゲートの位置は、設定される。位置を更新することができる。ゲート位置を所望の特徴に保つために、ゲート位置の設定は、繰り返される。プロセッサ２１は、ゲート位置の設定を繰り返す。
【０１０４】
プロセッサ２１は、ビームフォーマ１２、１６を制御することができる。ビームおよびサンプリングは、ドップラー・ゲート位置に集中することができる。ゲート位置が変化するので、ビームフォーマ１２、１６はサンプリングおよびビームを変えるように制御される。位置の分布の中心を配置することによって、プロセッサ１８は、後の時間のゲート位置のより正確な設定を提供する。送信ビームの中心および／または焦点をゲート位置に配置することによって、スペクトル分析のための信号は、他の位置より良好な信号対雑音比を有することができる。ビームの中央および焦点は、より大きなエネルギーの領域を表す。プロセッサ２１は、ビームフォーマ１２、１６を制御し、送信および受信ビームの横方向、縦方向および焦点を変化させ、送信ビームの１つおよび／または位置の分布を、設定されたドップラー・ゲート位置に集中させる。
【０１０５】
イメージ・プロセッサ１８は、ドップラー・ゲート位置のために推定されるスペクトルの関数として、ディスプレイ値を生成する。ディスプレイ値は、強度または表示のために変換される他の値、ディスプレイ２０に提供される値（例えば、赤の値、緑の値、青の値）またはディスプレイ２０を動作するために発生するアナログ値を含む。ディスプレイ値は、強度、色相、色、輝度または他のピクセル特性を示すことができる。例えば、色はスペクトルの１つの特性の関数として割り当てられ、輝度は他のスペクトル特性または他の情報の関数である。ディスプレイ値は、スペクトル・ストリップ表示のために生成する。
【０１０６】
ディスプレイ１８は、ＣＲＴ、モニタ、ＬＣＤ、プラズマ・スクリーン、プロジェクタまたはディスプレイ値に応答するイメージを表示するための現在周知であるか将来開発される他のディスプレイである。グレイスケールのスペクトル・ドップラー・イメージのために、エネルギーの関数として調整された各速度を有する速度の範囲は、時間の関数として提供される。選択されたスペクトルは、所定の時間の速度およびエネルギー情報を示す。所定のピクセルまたはピクセル領域の強度は、速度が縦軸に設けられ、時間が横軸に設けられているエネルギーを表す。カラー化されたスペクトル・ドップラー・イメージを含む他のイメージ構成を提供することもできる。
【０１０７】
メモリ２２は、バッファ・データ、例えばスペクトル推定のための超音波サンプルを保存する。メモリ２２は、位置情報、Ｂモード情報、Ｆモード情報、スペクトル、スペクトルの特性、ディスプレイ値またはイメージ、例えばＣＩＮＥメモリまたは他の情報を保存することができる。
【０１０８】
一実施形態では、メモリ２２は、ドップラー・ゲートをスペクトル・ドップラー超音波イメージングに配置するため、プログラムされたプロセッサ１８によって実行可能なデータを表している命令を格納した持続性コンピュータ可読の記憶媒体である。本明細書に記載のプロセス、方法および／または技術を実施するための命令は、コンピュータ可読の記憶媒体またはメモリ、例えば、キャッシュ、バッファ、ＲＡＭ、取り外し可能媒体、ハードディスクドライブまたは他のコンピュータ可読の記憶媒体に設けられている。コンピュータ可読の記憶媒体は、様々な種類の揮発性および不揮発性記憶媒体を含む。図面に示されているかまたは本明細書に記載されている機能、ステップまたはタスクは、コンピュータ可読の記憶媒体に保存された１つ以上の命令セットに応答して実行される。機能、ステップまたはタスクは、命令セット、記憶媒体、プロセッサまたはプロセッシングストラテジの特定の種類とは無関係であり、ソフトウェア、ハードウェア、集積回路、ファームウェア、ミクロコードなどによって単独で、または、協同で実行可能である。同様に、プロセッシングストラテジは、マルチプロセシング、マルチタスキング、並列処理などを含むことができる。一実施形態では、命令は、ローカルシステムまたは遠隔システムによって読み出される取り外し可能媒体装置に保存される。他の実施形態では、命令は、コンピュータ・ネットワークまたは電話線による転送のための遠隔位置に保存される。さらに他の実施形態では、命令は、所定のコンピュータ、ＣＰＵ、ＧＰＵまたはシステム内に保存される。
【０１０９】
各種実施形態を参照して本発明を説明してきたが、本発明の範囲内において、多数の変更および修正が可能であることを理解されたい。それゆえ、上述した詳細な説明が、制限するためではなく説明のためであり、本発明の趣旨および範囲を定めるのは、すべての等価物を含む以下の特許請求の範囲であることを理解されたい。
【図１】
2014018663.tif 000003
【図２】
2014018663.tif 000004
【図３】
2014018663.tif 000005
【図５】
2014018663.tif 000006
【図６】
2014018663.tif 000007
【図７】
2014018663.tif 000008
【図４】
2014018663.tif 000009
【外国語明細書】
2014018663.tif 000010
2014018663.tif 000011
2014018663.tif 000012
2014018663.tif 000013
2014018663.tif 000014
2014018663.tif 000015
2014018663.tif 000016
2014018663.tif 000017
2014018663.tif 000018
2014018663.tif 000019
2014018663.tif 000020
2014018663.tif 000021
2014018663.tif 000022
2014018663.tif 000023
2014018663.tif 000024
2014018663.tif 000025
2014018663.tif 000026
2014018663.tif 000027
2014018663.tif 000028
2014018663.tif 000029
2014018663.tif 000030
2014018663.tif 000031
2014018663.tif 000032
2014018663.tif 000033
2014018663.tif 000034
2014018663.tif 000035
2014018663.tif 000036
2014018663.tif 000037
2014018663.tif 000038
2014018663.tif 000039
2014018663.tif 000040
2014018663.tif 000041
2014018663.tif 000042
2014018663.tif 000043
2014018663.tif 000044
2014018663.tif 000045
2014018663.tif 000046
2014018663.tif 000047
2014018663.tif 000048
2014018663.tif 000049